(57)【要約】【課題】樹脂製インナーパネルの軽量化を図ると共にドア側ロック付近の剛性を高める。【解決手段】バックドアの樹脂製インナーパネル１は、枠部２及び枠部内に設けられた縦面部３から形成され、当該樹脂製インナーパネルの車両外側における縦面部から車両外側に向かって延出した枠部の剛性の高い底部２ａには、バックドア開口部の下辺部側に設けられた車体側ロックと係合するドア側ロックが設けられ、縦面部の上方にはバックドア・ウィンドウを装着するためのバックドア・ウィンドウ開口３ａが設けられ、且つ縦面部のバックドア・ウィンドウ開口の下には車両外側が凸部５ａに形成され車両内側が凹部５ｂに形成された剛性の高い部品格納部５が底部と空間を有して形成されており、車両内側における底部と部品格納部の凸部との間には、一方から入力する荷重を他方に伝達させるように当該底部と当該凸部とを連結する金属製補強部材１０が装着されている。【選択図】図１
2011057119.tif 000002
【特許請求の範囲】
【請求項１】
車両の後部に形成されたバックドア開口部の上辺部とヒンジを介して開閉自在に取り付けられ、車両外側に配置されるアウターパネル及び車両内側に配置される樹脂製インナーパネルで構成されているバックドアで、
前記樹脂製インナーパネルは、枠部及び前記枠部内に設けられた縦面部から形成され、当該樹脂製インナーパネルの前記車両外側における前記縦面部から前記車両外側に向かって延出した前記枠部の剛性の高い底部には、前記バックドア開口部の下辺部側に設けられた車体側ロックと係合するドア側ロックが設けられ、前記縦面部の上方にはバックドア・ウィンドウを装着するためのバックドア・ウィンドウ開口が設けられ、且つ前記縦面部の前記バックドア・ウィンドウ開口の下には前記車両外側が凸部に形成され前記車両内側が凹部に形成された剛性の高い部品格納部が前記底部と空間を有して形成されており、前記車両内側における前記底部と前記部品格納部の前記凸部との間には、一方から入力する荷重を他方に伝達させるように当該底部と当該凸部とを連結する金属製補強部材が装着されていることを特徴とするバックドアの補強構造。
【請求項２】
前記金属製補強部材は、
前記底部に対して、前記車両の車幅方向に前記ドア側ロックと前記車体側ロックとが係合可能な形状で配置され、締結部材で固定されている底板部と、
前記底板部の前記縦面部側に位置する端面から前記縦面部に沿って上に向かって延設される第１の補強板部と、
前記底板部の前記車両の車幅方向側の一方に位置する端面及び前記第１の補強板部の前記車両の車幅方向側の一方に位置する端面それぞれに接合されると共に、前記凸部の形状に沿って屈曲した状態で上方に延設されて上端部が前記凸部の頂点部位に締結部材で固定される第２の補強板部と、
前記底板部の前記車両の車幅方向側の他方に位置する端面及び前記第１の補強板部の前記車両の車幅方向側の他方に位置する端面それぞれに接合されると共に、前記凸部の形状に沿って屈曲した状態で上方に延設されて上端部が前記凸部の頂点部位に締結部材で固定される第３の補強板部と、
から構成され、前記第２の補強板部及び前記第３の補強板部にはそれぞれ前記車両の上下方向に沿って前記車両外側方向に延びるリブが設けられていることを特徴とする請求項１記載のバックドアの補強構造。
【請求項３】
前記第１の補強板部は、開口が上となるコの字形に形成されていることを特徴とする請求項１又は請求項２記載のバックドアの補強構造。
【請求項４】
前記第１の補強板部は、上部が締結部材で前記樹脂製インナーパネルの前記縦面部に固定されていることを特徴とする請求項１乃至請求項３のうち何れか１項に記載のバックドアの補強構造。
【請求項５】
前記第２の補強板部及び前記第３の補強板部の前記リブの板面にはそれぞれ前記車両の上下方向に沿ってプレスによる縦長の絞り加工が施されていることを特徴とする請求項２乃至請求項４のうち何れか１項に記載のバックドアの補強構造。
【請求項６】
前記樹脂製インナーパネルの素材はポリプロピレンであることを特徴とする請求項１乃至請求項５のうち何れか１項に記載のバックドアの補強構造。
【発明の詳細な説明】
【技術分野】
【０００１】
本発明はバックドアの補強構造に係り、特に、外部からの荷重入力でバックドアのロック部付近が変形して当該バックドアが不用意に開いてしまうことを防ぐためのバックドアの補強構造に関する。
【背景技術】
【０００２】
従来から、自動車のバックドアは、車両外側に配置されるアウターパネル及び車両内側に配置されるインナーパネルで構成され、車両の後部に形成されたバックドア開口部の上辺部とヒンジを介して開閉自在に取り付けられている。このようなバックドアを軽量化するために、アウターパネル及びインナーパネルを鋼板製のものに変えて樹脂製のものが採用されている（例えば、特許文献１参照。）。この樹脂製バックドアは、インナーパネルのドアロック本体が設けられている部位を補強するために、ドアロック本体を挟んだ両側の位置にそれぞれ垂直壁のリブが形成されている。
【０００３】
第１のリブには、第１のリブを挟んでその両側に第１の金属製補強板と第２の金属製補強板が配置され、第２のリブには、第２のリブを挟んでその両側に第２の金属製補強板と第３の金属製補強板が配置され、それぞれボルト及びナットで固定されている。第１のリブの外側に配置されている第１の金属製補強板は、インナーパネルの第１のリブ及び内底面にそれぞれボルト及びナットで固定可能な形状に形成されている。第１のリブの内側及び第２のリブの内側間に配置されている第２の金属製補強板は、インナーパネルの第１のリブ、第２のリブ及び内底面にそれぞれボルト及びナットで固定可能な形状に形成されている。第２のリブの外側に配置されている第３の金属製補強板は、インナーパネルの第２のリブ及び内底面にそれぞれボルト及びナットで固定可能な形状に形成されている。
【０００４】
このように構成された樹脂製バックドアの補強構造によれば、樹脂に比べて強度の高い金属からなる金属製補強板によってインナーパネルのドアロック本体付近の強度を向上させている。
【先行技術文献】
【特許文献】
【０００５】
【特許文献１】特開２００９−１３７４３０号公報
【発明の概要】
【発明が解決しようとする課題】
【０００６】
しかしながら、背景技術に記載した樹脂製バックドアの補強構造では、インナーパネルが樹脂製なので各金属製補強板を固定するためのリブの剛性を高めなければならず、現状では繊維強化熱可塑性樹脂（ＦＲＴＰ）であるガラス繊維が添加されたポリプロピレン（以下、明細書中において、「ガラス繊維入りＰＰ」と称する。）を採用しなければならなかった。この場合、インナーパネルは剛性上必要ない部分までガラス繊維入りＰＰで形成されることになるので、コスト面で鋼板製インナーパネルより高くなる難点があった。
【０００７】
また、ガラス繊維入りＰＰから成る樹脂製インナーパネルのプラスチック射出成形においては、汎用射出成形機による成形条件が複雑になったり、ガラス繊維入りＰＰ専用の特殊な射出成形機が必要になったりする難点があった。
【０００８】
また、ガラス繊維入りＰＰから成る樹脂製インナーパネルは、自動車の他の部品、例えばインスツルメントパネル等の当該インナーパネルほど剛性が高くない部品と同じ材料を使用できないので、金型の型換え時に成形機の材料換えが必要になる難点があった。
【０００９】
さらに、ガラス繊維入りＰＰから成る樹脂製インナーパネルでは、意匠面の品質感が悪化したりシボの品質が低下したりする難点があった。
【００１０】
本発明は、このような従来の難点を解消するためになされたもので、樹脂製インナーパネルの軽量化を図ると共にドア側ロック付近の剛性を高めることができるバックドアの補強構造を提供することを目的とする。
【００１１】
また、ドア側ロック付近の剛性を高めることができる樹脂製インナーパネルを採用しても、プラスチック成形設備の汎用性を高めると共に、意匠面の品質感が悪化したりシボの品質が低下したりすることを防ぐことができるバックドアの補強構造を提供することを目的とする。
【課題を解決するための手段】
【００１２】
上述の目的を達成する第１の態様であるバックドアの補強構造は、車両の後部に形成されたバックドア開口部の上辺部とヒンジを介して開閉自在に取り付けられ、車両外側に配置されるアウターパネル及び車両内側に配置される樹脂製インナーパネルで構成されているバックドアで、樹脂製インナーパネルは、枠部及び枠部内に設けられた縦面部から形成され、当該樹脂製インナーパネルの車両外側における縦面部から車両外側に向かって延出した枠部の剛性の高い底部には、バックドア開口部の下辺部側に設けられた車体側ロックと係合するドア側ロックが設けられ、縦面部の上方にはバックドア・ウィンドウを装着するためのバックドア・ウィンドウ開口が設けられ、且つ縦面部のバックドア・ウィンドウ開口の下には車両外側が凸部に形成され車両内側が凹部に形成された剛性の高い部品格納部が底部と空間を有して形成されており、車両内側における底部と部品格納部の凸部との間には、一方から入力する荷重を他方に伝達させるように当該底部と当該凸部とを連結する金属製補強部材が装着されているものである。なお、本明細書において「延出」とは延びた状態で出ていることを意味する。
【００１３】
このような第１の態様であるバックドアの補強構造によれば、剛性の高い部品格納部の車両外側に向けて形成された凸部と、枠部の縦面部から車両外側に向かって延出した剛性の高い底部とを、金属製補強部材で一方から入力する荷重を他方に伝達させるように連結していることから、一方からの荷重入力を他方の剛性の高い部位へ分散させることができるので、金属製補強部材を固定するためのリブを樹脂製インナーパネルに設けなくてもドア側ロック付近の剛性を高めることができ、結果、樹脂製インナーパネルの素材としてガラス繊維入りＰＰを使用しなくともよくなる。
【００１４】
本発明の第２の態様は第１の態様であるバックドアの補強構造において、金属製補強部材は、底部に対して、車両の車幅方向にドア側ロックと車体側ロックとが係合可能な形状で配置され、締結部材で固定されている底板部と、底板部の縦面部側に位置する端面から縦面部に沿って上に向かって延設される第１の補強板部と、底板部の車両の車幅方向側の一方に位置する端面及び第１の補強板部の車両の車幅方向側の一方に位置する端面それぞれに接合されると共に、凸部の形状に沿って屈曲した状態で上方に延設されて上端部が凸部の頂点部位に締結部材で固定される第２の補強板部と、底板部の車両の車幅方向側の他方に位置する端面及び第１の補強板部の車両の車幅方向側の他方に位置する端面それぞれに接合されると共に、凸部の形状に沿って屈曲した状態で上方に延設されて上端部が凸部の頂点部位に締結部材で固定される第３の補強板部と、から構成され、第２の補強板部及び第３の補強板部にはそれぞれ車両の上下方向に沿って車両外側方向に延びるリブが設けられているものである。なお、本明細書において「延設」とは延びた状態で設けられていることを意味する。
【００１５】
このような第２の態様であるバックドアの補強構造によれば、例えば樹脂製インナーパネルにおける枠部の剛性の高い底部から金属製補強部材に荷重が入力すると、その入力荷重は底板部から第２の補強板部及び第３の補強板部に分散されるので、その分散された入力荷重を樹脂製インナーパネルにおける剛性の高い部品格納部の凸部に伝達させることができる。また、第１の補強板部は底板部の縦面部側に位置する端面から縦面部に沿って上に向かって延設されると共に第２の補強板部及び第３の補強板部に接合されているので、第２の補強板部及び第３の補強板部の曲げ剛性を高めることができ、さらに、第２の補強板部及び第３の補強板部はそれぞれ車両の上下方向に沿って車両外側方向に延びるリブが設けられていることから、当該第２の補強板部及び第３の補強板部の曲げ剛性を高めることができるので、枠部の剛性の高い底部からの入力荷重を効率よく剛性の高い部品格納部の凸部に伝達させることができるようになる。一方、剛性の高い部品格納部の凸部から金属製補強部材に荷重が入力すると、その入力荷重は第２の補強板部及び第３の補強板部に分散されるが、この２つの補強板部にはそれぞれ車両の上下方向に沿って車両外側方向に延びるリブが設けられていることから、当該第２の補強板部及び第３の補強板部の曲げ剛性を高めることができるので、剛性の高い部品格納部の凸部からの入力荷重を効率よく枠部の剛性の高い底部に伝達させることができるようになる。
【００１６】
本発明の第３の態様は第１の態様又は第２の態様であるバックドアの補強構造において、第１の補強板部は、開口が上となるコの字形に形成されているものである。このような第３の態様であるバックドアの補強構造によれば、金属製補強部材の剛性を低下させることなく重量の低減を図ることができる。
【００１７】
本発明の第４の態様は第１の態様乃至第３の態様のうちの何れか１つの態様であるバックドアの補強構造において、第１の補強板部は、上部が締結部材で樹脂製インナーパネルの縦面部に固定されているものである。このような第４の態様であるバックドアの補強構造によれば、入力荷重を樹脂製インナーパネルの縦面部にも分散させることができる。
【００１８】
本発明の第５の態様は第２の態様乃至第４の態様のうちの何れか１つの態様であるバックドアの補強構造において、第２の補強板部及び第３の補強板部のリブの板面にはそれぞれ車両の上下方向に沿ってプレスによる縦長の絞り加工が施されているものである。このような第５の態様であるバックドアの補強構造によれば、リブの板面において加工硬化が大きくなるので、板材の強度を高めることができる。
【００１９】
本発明の第６の態様は第１の態様乃至第５の態様のうちの何れか１つの態様であるバックドアの補強構造において、樹脂製インナーパネルの素材はポリプロピレンである。このような第６の態様であるバックドアの補強構造によれば、従来の樹脂製インナーパネルの素材であるガラス繊維入りＰＰよりも重量を低減させることができ、また、コストを下げることができる。
【発明の効果】
【００２０】
本発明のバックドアの補強構造によれば、樹脂製インナーパネルの軽量化を図ると共にドア側ロック付近の剛性を高めることができる。
【００２１】
また、本発明のバックドアの補強構造によれば、ドア側ロック付近の剛性を高めることができる樹脂製インナーパネルを採用しても、プラスチック成形設備の汎用性を高めると共に、意匠面の品質感が悪化したりシボの品質が低下したりすることを防ぐことができる。
【図面の簡単な説明】
【００２２】
【図１】本発明のバックドアの補強構造による好ましい実施の形態例を示す図で、樹脂製インナーパネルの部分斜視図である。
【図２】図１の樹脂製インナーパネルに使用される金属製補強部材を示す全体斜視図である。
【図３】図１の樹脂製インナーパネルに使用される金属製補強部材を示す正面図である。
【図４】（Ａ）は図３の金属製補強部材の左側面図、（Ｂ）は図３の金属製補強部材の右側面図である。
【図５】（Ａ）は図３の金属製補強部材の平面図、（Ｂ）は図３の金属製補強部材の下面図である。
【図６】本発明のバックドアの補強構造に使用される樹脂製インナーパネルを示す正面図である。
【発明を実施するための形態】
【００２３】
以下、本発明のバックドアの補強構造を実施するための形態例について図面に基き説明する。
【００２４】
本発明のバックドアの補強構造が適用されるバックドアは従来のバックドアと同様で、車両外側に配置されるアウターパネル及び車両内側に配置されるインナーパネルで構成され、車両の後部に形成されたバックドア開口部の上辺部とヒンジを介して開閉自在に取り付けられている。このアウターパネル及びインナーパネルは軽量化のために、それぞれ基本フレームが樹脂にて一体成形されている。
【００２５】
樹脂製インナーパネルは図６に示すように、枠部２及び枠部２内に設けられた縦面部３から形成されている。この樹脂製インナーパネル１は図１に示すように、車両外側における縦面部３から車両外側に向かって延出した枠部２の底部２ａに、バックドア開口部の下辺部側に設けられた車体側ロック（図示せず。）と係合するドア側ロック４が設けられている。なお、図１においてはドア側ロックが示されていないが、符号はその設置位置を示している。また、縦面部３の上方にはバックドア・ウィンドウを装着するためのバックドア・ウィンドウ開口３ａが設けられている。このバックドア・ウィンドウ開口３ａの下には、車両外側が凸部５ａに形成され車両内側が凹部５ｂに形成された部品格納部５が底部２ａと空間を有して形成されている（図４（Ａ）参照）。なお、底部２ａは、縦面部３から車両外側に向かって延出して形成され、また、部品格納部５は、車両外側が凸部５ａに形成され車両内側が凹部５ｂに形成されることで、それぞれ樹脂製インナーパネル１の他の部位より剛性が高くなっている。
【００２６】
この樹脂製インナーパネル１の車両内側における底部２ａと部品格納部５の凸部５ａとの間には、一方から入力する荷重を他方に伝達させるように当該底部２ａと当該凸部５ａとを連結する金属製補強部材１０が装着されている。このように、剛性の高い部品格納部５の車両外側に向けて形成された凸部５ａと、縦面部３から車両外側に向かって延出した枠部２の剛性の高い底部２ａとを、金属製補強部材１０で一方から入力する荷重を他方に伝達させるように連結することで、一方からの荷重入力を他方の剛性の高い部位へ分散させることができる。これにより、金属製補強部材１０を固定するためのリブを樹脂製インナーパネル１に設けなくてもドア側ロック付近の剛性を高めることができるので、樹脂製インナーパネル１の素材としてガラス繊維入りＰＰを使用しなくともよくなる。
【００２７】
このような樹脂製インナーパネル１の変形抑制機能を有する金属製補強部材１０は例えば図２、図３、図４（Ａ）、（Ｂ）、図５（Ａ）、（Ｂ）に示すように、底板部１１、第１の補強板部１２、第２の補強板部１３及び第３の補強板部１４で構成されている。なお、図４（Ａ）には説明の便宜上、樹脂製インナーパネル１の部品格納部５を含む部分断面図が示されている。
【００２８】
底板部１１は、底部２ａに対して、車両の車幅方向にドア側ロックと車体側ロックとが係合可能な形状で配置され、締結部材６で固定されている。具体的には、底板部１１は略平板状に形成され、ドア側ロックを挿入して取り付けるための貫通孔１１ａが形成されている。なお、樹脂製インナーパネル１の底部２ａにもドア側ロックを挿入するための貫通孔２ｂ（図１参照。）が形成されている。この２つの貫通孔１１ａ、２ｂは、金属製補強部材１０を樹脂製インナーパネル１の定位置に固定することで、ほぼ同位置で貫通状態となるように設定されている。なお、締結部材６としては、ボルト及びナットやリベットが好ましい。ボルト及びナットを使用する場合には、ボルト及びナットで底板部１１及び底部２ａを挟み込んだ状態でボルトナット締結させ、リベットを使用する場合には、リベットで底板部１１及び底部２ａを挟み込むようにリベット締結させる。底板部１１は、このように構成されることで、樹脂製インナーパネル１の底部２ａが割れにくくなっている。
【００２９】
第１の補強板部１２は、底板部１１の縦面部３側に位置する端面から縦面部３に沿って上に向かって延設されている。この底板部１１及び第１の補強板部１２は、金属板を折り曲げて一体的に形成されている。第１の補強板部１２は、このように構成されることで、底板部１１に取り付けられるドア側ロックの機能を確保するための剛性を高めることができる。ここで、ドア側ロックの機能とは、バックドアの固定や保持のことである。
【００３０】
第２の補強板部１３は、底板部１１の車両の車幅方向側の一方に位置する端面及び第１の補強板部１２の車両の車幅方向側の一方に位置する端面それぞれに接合されている。接合手段としては、溶接が好ましいがボルト及びナットやリベットによって締結させてもよい。また、凸部５ａの形状に沿って屈曲した状態で上方に延設されて上端部１３ａが凸部５ａの頂点部位５ａ'に締結部材７（図４（ａ）参照。）で固定されている。第２の補強板部１３は、このように構成されることで、ドア側ロック及び車体側ロックでバックドアの固定や保持を行った際に、縦面部３が変形するのを抑止することができる。
【００３１】
第３の補強板部１４は、第２の補強板部１３と対称的な形状に形成され、底板部１１の車両の車幅方向側の他方に位置する端面及び第１の補強板部１２の車両の車幅方向側の他方に位置する端面それぞれに接合されると共に、凸部５ａの形状に沿って屈曲した状態で上方に延設されて上端部１３ａが凸部５ａの頂点部位５ａ'に締結部材７（図４（ａ）参照。）で固定されている。第３の補強板部１４は、このように構成されることで、第２の補強板部１３と同様の作用、効果を得ることができる。
【００３２】
この２つの補強板部１３、１４の各締結部材７、７としては、底板部１１の締結部材６と同様のボルト及びナットやリベットが好ましい。
【００３３】
また、この底板部１１、第１の補強板部１２、第２の補強板部１３及び第３の補強板部１４で構成された金属製補強部材１０は、第２の補強板部１３及び第３の補強板部１４にそれぞれ車両の上下方向に沿って車両外側方向に延びるリブ１５、１６が設けられている。このリブ１５、１６は、第２の補強板部１３及び第３の補強板部１４における底板部１１及び第１の補強板部１２側の端部に形成されているので、第２の補強板部１３及び第３の補強板部１４はそれぞれ金属板を折り曲げて一体的に形成されている。なお、リブ１５、１６の一部位が底板部１１及び第１の補強板部１２に対して接合されている。リブ１５が設けられた第２の補強板部１３及びリブ１６が設けられた第３の補強板部１４は、それぞれこのように構成されることで、第２の補強板部１３及び第３の補強板部１４の曲げ剛性を高めることができるので、一方の剛性の高い部位からの入力荷重を効率よく他方の剛性の高い部位に伝達させることができるようになる。したがって、金属製補強部材を固定するためのリブを樹脂製インナーパネルに設けなくてもドア側ロック付近の剛性を高めることができ、結果、樹脂製インナーパネルの素材としてガラス繊維入りＰＰを使用しなくともよくなる。
【００３４】
このように構成された金属製補強部材１０の第１の補強板部１２は、開口が上となるコの字形に形成されていてもよい。第１の補強板部１２をこのように形成しても、第１の補強板部１２と、第２の補強板部１３及び第３の補強板部１４とは上述のように接合されているので、金属製補強部材１０の剛性を低下させることなく重量の低減を図ることができる。
【００３５】
また、金属製補強部材１０の第１の補強板部１２は、上部１２ａが締結部材８（図４（Ａ）参照。）で樹脂製インナーパネル１の縦面部３に固定されていてもよい。この締結部材８としては、底板部１１の締結部材６と同様のボルト及びナットやリベットが好ましい。第１の補強板部１２は、このように構成されることで、入力荷重を樹脂製インナーパネル１の縦面部３にも分散させることができる。
【００３６】
また、金属製補強部材１０は、第２の補強板部１３及び第３の補強板部１４のリブ１５、１６の板面に、それぞれ車両の上下方向に沿ってプレスによる縦長の絞り加工が施されているとよい。この絞り加工部１５ａ及び絞り加工部１６ａを、第２の補強板部１３のリブ１５及び第３の補強板部１４のリブ１６の板面に施すと、各リブ１５、１６の板面において加工硬化が大きくなるので、板材の強度を高めることができる。したがって、第２の補強板部１３及び第３の補強板部１４を、厚みが薄い材料で作成しても強度の低下を防ぐことができるので、金属製補強部材１０の軽量化につながる。
【００３７】
さらに、金属製補強部材１０が、一方から入力する荷重を他方に伝達させるように枠部２の底部２ａと部品格納部５の凸部５ａとを連結することができるような構造なので、樹脂製インナーパネル１の素材をポリプロピレンにすることができる。したがって、従来の樹脂製インナーパネルの素材であるガラス繊維入りＰＰよりも重量を低減させることができ、また、コストを下げることができる。なお、ポリプロピレンにタルクを添加することで、ポリプロピレンの強度を高くすると共に、ガラス繊維入りＰＰよりも重量を低減させることができ、また、コストを下げることができるようになる。なお、鋼板製インナーパネルに対しても重量を低減させることができ、また、コストを下げることができるようになる。
【００３８】
このように構成された本発明のバックドアの補強構造が適用されるバックドアの樹脂製インナーパネル１において、樹脂製インナーパネル１における枠部２の剛性の高い底部２ａから金属製補強部材１０に荷重が入力すると、その入力荷重は底板部１１から第２の補強板部１３及び第３の補強板部１４に分散されるので、その分散された入力荷重を樹脂製インナーパネル１における剛性の高い部品格納部５の凸部５ａに伝達させることができる。また、第１の補強板部１２は底板部１１の縦面部３側に位置する端面から縦面部３に沿って上に向かって延設されると共に第２の補強板部１３及び第３の補強板部１４に接合されているので、第２の補強板部１３及び第３の補強板部１４の曲げ剛性を高めることができ、さらに、第２の補強板部１３及び第３の補強板部１４はそれぞれ車両の上下方向に沿って車両外側方向に延びるリブ１５、１６が設けられていることから、当該第２の補強板部１３及び第３の補強板部１４の曲げ剛性を高めることができるので、枠部２の剛性の高い底部２ａからの入力荷重を効率よく剛性の高い部品格納部５の凸部５ａに伝達させることができるようになる。
【００３９】
一方、剛性の高い部品格納部５の凸部５ａから金属製補強部材１０に荷重が入力すると、その入力荷重は第２の補強板部１３及び第３の補強板部１４に分散されるが、この２つの補強板部１３、１４にはそれぞれ車両の上下方向に沿って車両外側方向に延びるリブ１５、１６が設けられていることから、当該第２の補強板部１３及び第３の補強板部１４の曲げ剛性を高めることができるので、剛性の高い部品格納部５の凸部５ａからの入力荷重を効率よく枠部２の剛性の高い底部２ａに伝達させることができるようになる。
【００４０】
このような金属製補強部材１０は、剛性の高い部品格納部５の車両外側に向けて形成された凸部５ａと、縦面部３から車両外側に向かって延出した枠部２の剛性の高い底部２ａとを一方から入力する荷重を他方に伝達させるように連結する構成なので、金属製補強部材を固定するためのリブを樹脂製インナーパネルに設けなくてもドア側ロック付近の剛性を高めることができ、結果、樹脂製インナーパネルの素材としてガラス繊維入りＰＰを使用しなくともよくなる。したがって、樹脂製インナーパネルのプラスチック射出成形においては、汎用射出成形機を使用でき、この汎用射出成形機による成形条件の設定が容易になり、また、自動車の他の部品、例えばインスツルメントパネル等の部品と同じ材料を使用できるようになるので、金型の型換え時に成形機の材料換えが必要なくなり、さらには、意匠面の品質感が悪化したりシボの品質が低下したりすることを防ぐことができるようになる。
【００４１】
また、剛性の高い部品格納部５の車両外側に向けて形成された凸部５ａと、縦面部３から車両外側に向かって延出した枠部２の剛性の高い底部２ａとを、一方から入力する荷重を他方に伝達させるように連結する金属製補強部材１０は、この入力荷重の伝達作用により後面衝突時に樹脂製インナーパネル１のドア側ロック部が、バックドア開口部の下辺部側に設けられた車体側ロックから分離してしまうことを防ぐことができるようになる。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４３】
１……樹脂性インナーパネル
２……枠部
２ａ……剛性の高い底部
３……縦面部
３ａ……バックドア・ウィンドウ開口
５……部品格納部
５ａ……凸部
５ｂ……凹部
６、７、８……締結部材
１０……金属製補強部材
１１……底板部
１２……第１の補強板部
１３……第２の補強板部
１３ａ……上端部
１５……リブ
１５ａ……縦長の絞り加工部
１４……第３の補強板部
１４ａ……上端部
１６……リブ
１６ａ……縦長の絞り加工部
【図１】
2011057119.tif 000003
【図２】
2011057119.tif 000004
【図３】
2011057119.tif 000005
【図４】
2011057119.tif 000006
【図５】
2011057119.tif 000007
【図６】
2011057119.tif 000008